(57)【特許請求の範囲】
【請求項１】
画面にディスプレイされた、オープンされた情報を含む第１及び第２データ客体を併合する方法において、
ユーザインターフェース部が、前記第１及び第２データ客体の併合を指示するユーザ命令を入力される段階と、
制御部が、前記入力されたユーザ命令によって、前記第２データ客体の特性が併合後も維持されるように、前記第１及び第２データ客体の内容を併合する段階とを含み、
前記第１データ客体と前記第２データ客体は、夫々テキストを含むデータであり、
前記ユーザ命令を入力される段階は、
前記ユーザインターフェース部により、ユーザが第１データ客体をドラッグして第２データ客体が位置する方向に移動させる段階と、
前記第１データ客体が前記第２データ客体と所定距離以内になるように移動させれば、前記ユーザインターフェース部が、前記第１データ客体と前記第２データ客体に併合可能領域を示すマークを前記画面に表示する段階と、
前記ユーザが前記第１データ客体を移動させて、前記マークが表示された併合可能領域を互いに接触させた後、ドロップした場合、前記ユーザインターフェース部が、前記第１及び第２データ客体の併合命令と認識する段階とを含み、
前記第１及び第２データ客体の内容を併合する段階は、
前記制御部が、前記互いに接触させた併合可能領域が連結されるように前記第２データ客体に前記第１データ客体の内容を追加する段階を含む
ことを特徴とするデータ客体併合方法。
【請求項２】
前記ユーザ命令を入力される段階は、
ユーザが第１データ客体をドラッグして第２データ客体の併合しようとする方向のエッジに移動させた後、ドロップする場合、前記ユーザインターフェース部が、前記第２データ客体の前記エッジに前記第１データ客体を併合せよとの命令と認識する段階を含むことを特徴とする請求項１に記載のデータ客体併合方法。
【請求項３】
前記第１及び第２データ客体の内容を併合する段階は、
前記制御部が、前記第１データ客体が移動した方向のエッジで前記第２データ客体に前記第１データ客体の内容を追加する段階を含むことを特徴とする請求項２に記載のデータ客体併合方法。
【請求項４】
前記マークを表示する段階は、
前記第１及び第２データ客体の各エッジの少なくとも一部にガイドライン形態のマークを表示する段階を含むことを特徴とする請求項１に記載のデータ客体併合方法。
【請求項５】
前記第１及び第２データ客体の併合命令を認識する段階は、
前記併合可能領域を互いに接触させる時、前記互いに接触させた併合可能領域を前記第１及び第２データ客体の他の領域と区分可能な異なるマークを、前記互いに接触させた併合可能領域に表示する段階をさらに含むことを特徴とする請求項１に記載のデータ客体併合方法。
【請求項６】
前記ユーザ命令を入力される段階は、
前記第１データ客体が前記第２データ客体の併合可能距離以内に移動すれば、前記ユーザインターフェース部が、前記第１及び第２データ客体の併合が可能であることを前記画面に表示する段階と、
前記第１及び第２データ客体の併合が可能であるということが前記画面に表示されている時、前記ユーザが前記第１データ客体をドロップした場合、前記ユーザインターフェース部が、前記第１及び第２データ客体の併合命令と認識する段階とを含むことを特徴とする請求項１に記載のデータ客体併合方法。
【請求項７】
前記第１及び第２データ客体の併合が可能であるということを表示する段階は、
前記ユーザインターフェース部が、前記第２データ客体のエッジのうち、前記第１データ客体が接近する方向のエッジに、前記第２データ客体との併合が可能であるということを示す第１マークを表示する段階を含むことを特徴とする請求項６に記載のデータ客体併合方法。
【請求項８】
前記第１及び第２データ客体の内容を併合する段階は、
前記制御部が、前記第１マークが表示された前記第２データ客体のエッジで前記第２データ客体に前記第１データ客体の内容を追加する段階を含むことを特徴とする請求項７に記載のデータ客体併合方法。
【請求項９】
前記第１及び第２データ客体の併合が可能であるということを表示する段階は、
前記ユーザインターフェース部が、前記第１データ客体のエッジのうち、前記第２データ客体に接近する方向のエッジに前記第１データ客体との併合が可能であるということを表示する第２マークを表示する段階をさらに含むことを特徴とする請求項７に記載のデータ客体併合方法。
【請求項１０】
前記第１及び第２データ客体の内容を併合する段階は、
前記制御部が、前記第１マークが表示された前記第２データ客体のエッジと前記第２マークが表示された前記第１データ客体のエッジとが互いに連結されるように前記第２データ客体に前記第１データ客体の内容を追加する段階を含むことを特徴とする請求項９に記載のデータ客体併合方法。
【請求項１１】
画面にディスプレイされた、オープンされた情報を含む第１及び第２データ客体を併合する装置において、
前記第１及び第２データ客体の併合を指示するユーザ命令を入力されるユーザインターフェース部と、
前記ユーザインターフェース部から受信されたユーザ命令によって、前記第２データ客体の特性が併合後も維持されるように、前記第１及び第２データ客体の内容を併合し、前記併合された結果を前記画面にディスプレイすべく制御する制御部とを備え、
前記第１データ客体と前記第２データ客体は、夫々テキストを含むデータであり、
前記ユーザインターフェース部は、
ユーザが入力装置で第１データ客体をドラッグして第２データ客体の併合可能距離以内に移動させれば、前記第１及び第２データ客体に併合可能領域を示すマークを表示し、前記ユーザが前記第１データ客体を移動させて前記マークが表示された併合可能領域を互いに接触させる後、ドロップした場合、前記第１及び第２データ客体の併合命令と認識し、
前記制御部は、
前記互いに接触させた併合可能領域が連結されるように前記第２データ客体に前記第１データ客体の内容を追加する
ことを特徴とするデータ客体併合装置。
【請求項１２】
前記ユーザインターフェース部は、
ユーザが入力装置で第１データ客体をドラッグして第２データ客体に併合しようとする方向のエッジに移動させた後、ドロップする場合、前記第１及び第２データ客体の併合命令と認識することを特徴とする請求項１１に記載のデータ客体併合装置。
【請求項１３】
記制御部は、
前記第１データ客体が移動した方向のエッジで前記第２データ客体に前記第１データ客体を併合することを特徴とする請求項１２に記載のデータ客体併合装置。
【請求項１４】
前記ユーザインターフェース部は、
ユーザが入力装置で第１データ客体をドラッグして第２データ客体の併合可能距離以内に移動させれば、併合が可能であるということを前記画面に表示し、前記前記第１及び第２データ客体の併合が可能であるということが前記画面に表示されている時、ユーザが前記第１データ客体をドロップすれば、前記第１及び第２データ客体の併合命令と認識することを特徴とする請求項１１に記載のデータ客体併合装置。
【請求項１５】
前記ユーザインターフェース部は、
前記接近中である第１データ客体のエッジ及び／または第２データ客体のエッジに前記併合が可能であるということを示すマークを表示することを特徴とする請求項１４に記載のデータ客体併合装置。
【請求項１６】
前記制御部は、
前記マークが表示された第１及び第２データ客体のエッジが互いに連結されるように前記第２データ客体に前記第１データ客体を併合することを特徴とする請求項１５に記載のデータ客体併合装置。
【発明の詳細な説明】
【技術分野】
【０００１】
本発明は、コンピュータシステムのデータ客体の併合に係り、より詳細には、フォルダ及びオープンされた情報を含むデータ客体を互いに同等なレベルに合わせる方法とその方法を行うための装置に関する。
【背景技術】
【０００２】
図１Ａ及び図１Ｂは、ウェブパッド（Ｗｅｂ  Ｐａｄ）、個人携帯情報端末機（Ｐｅｒｓｏｎａｌ  Ｄｉｇｉｔａｌ  Ａｓｓｉｓｔａｎｔ：ＰＤＡ）など従来のデジタルコンピュータ環境でデータ客体同士の併合を試みた場合、その結果を示す図である。
【０００３】
図１Ａは、従来の技術により２つのフォルダを合わせた結果である。図１Ａを参照するに、フォルダＡ  １１０にフォルダＢ  １２０を合わせた場合、フォルダＢがフォルダＡの下位フォルダとして含まれる結果（１３０）を得る。したがって、データ客体を他の客体の下位情報として合わせるものではなく、同じデータレベルを保持させつつ併合する管理方法が要求される。
【０００４】
図１Ｂは、従来の技術によっては、オープンされた情報を含む第１及び第２データ客体を合わせられないことを示す図である。オープンされた情報は、イメージやテキストなどの情報の保存されたファイルが開いている状態を示すものであって、本発明でフォルダと区分するために使われる用語である。図１Ｂを参照するに、オープンされた情報を含むデータ客体ａ  １４０にオープンされた情報を含むデータ客体ｂ  １５０を接近させても、第１及び第２データ客体１４０、１５０を合わせられない。オープンされた情報を含む第１及び第２データ客体を合わせようとすれば、該当編集機を用いて手作業で合わせる過程を経ねばならない不便さがある。
【発明の開示】
【発明が解決しようとする課題】
【０００５】
本発明は、前記問題を解決するために案出されたものであって、便利なユーザインターフェースを介してフォルダ、イメージファイル、テキストファイルなどのデータ客体を同等なレベルで互いに併合する方法及び装置を提供することを目的とする。
【課題を解決するための手段】
【０００６】
前記のような課題を解決するための本発明の一特徴は、画面にディスプレイされた、オープンされた情報を含む第１及び第２データ客体を併合する方法において、ユーザインターフェース部が、前記第１及び第２データ客体の併合を指示するユーザ命令を入力される段階と、制御部が、前記入力されたユーザ命令によって、前記第２データ客体の特性が併合後も維持されるように、前記第１及び第２データ客体の内容を併合する段階とを含み、前記第１データ客体と前記第２データ客体は、夫々テキストを含むデータであり、前記ユーザ命令を入力される段階は、前記ユーザインターフェース部により、ユーザが第１データ客体をドラッグして第２データ客体が位置する方向に移動させる段階と、前記第１データ客体が前記第２データ客体と所定距離以内になるように移動させれば、前記ユーザインターフェース部が、前記第１データ客体と前記第２データ客体に併合可能領域を示すマークを前記画面に表示する段階と、前記ユーザが前記第１データ客体を移動させて、前記マークが表示された併合可能領域を互いに接触させた後、ドロップした場合、前記ユーザインターフェース部が、前記第１及び第２データ客体の併合命令と認識する段階とを含み、前記第１及び第２データ客体の内容を併合する段階は、前記制御部が、前記互いに接触させた併合可能領域が連結されるように前記第２データ客体に前記第１データ客体の内容を追加する段階を含むことを特徴とする。
【０００７】
前記ユーザ命令を入力される段階は、ユーザが第１データ客体をドラッグして第２データ客体上に移動させた後、ドロップする場合、前記第２データ客体に前記第１データ客体を併合せよとの命令と認識する段階を含むことが望ましい。
【０００８】
前記第１及び第２データ客体の内容を併合する段階は、前記第１及び第２データ客体がフォルダである場合、前記第１データ客体に該当するフォルダに含まれたあらゆるデータ客体を前記第２データ客体に該当するフォルダ内に移動する段階を含むことが望ましい。
【０００９】
前記ユーザ命令を入力される段階は、ユーザが第１データ客体をドラッグして第２データ客体の併合しようとする方向のエッジに移動させた後、ドロップする場合、前記第２データ客体の前記エッジに前記第１データ客体を併合せよとの命令と認識する段階を含むことが望ましい。
前記第１及び第２データ客体の内容を併合する段階は、前記第１データ客体が移動した方向のエッジで前記第２データ客体に前記第１データ客体の内容を追加する段階を含むことが望ましい。
【００１０】
前記ユーザ命令を入力される段階は、ユーザが第１データ客体をドラッグして第２データ客体が位置する方向に移動させる段階と、前記第１データ客体が前記第２データ客体と所定距離以内になるように移動すれば、前記第１データ客体と前記第２データ客体に併合可能領域を示すマークを表示する段階と、前記ユーザが前記第１データ客体を移動させて前記マークが表示された併合可能領域を互いに接触させた後、ドロップした場合、前記第１及び第２データ客体の併合命令と認識する段階を含むことが望ましい。
【００１１】
前記マークを表示する段階は、前記第１及び第２データ客体の各エッジの少なくとも一部にガイドライン形態のマークを表示する段階を含むことが望ましい。
【００１２】
前記第１及び第２データ客体の併合命令を認識する段階は、前記併合可能領域を互いに接触させる時、前記互いに接触させた併合可能領域を前記第１及び第２データ客体の他の領域と区分可能な異なるマークを、前記互いに接触させた併合可能領域に表示する段階をさらに含むことが望ましい。
【００１３】
前記ユーザ命令を入力される段階は、ユーザが第１データ客体をドラッグして第２データ客体が位置する方向に移動させる段階と、前記第１データ客体が、前記第２データ客体の併合可能距離以内に移動すれば、前記第１及び第２データ客体の併合が可能であるということを前記画面に表示する段階と、前記第１及び第２データ客体の併合が可能であるということが前記画面に表示されている時、前記ユーザが前記第１データ客体をドロップした場合、前記第１及び第２データ客体の併合命令と認識する段階を含むことが望ましい。
【００１４】
前記第１及び第２データ客体の併合が可能であるということを表示する段階は、前記第２データ客体のエッジのうち、前記第１データ客体が接近する方向のエッジに、前記第２データ客体との併合が可能であるということを示す第１マークを表示する段階を含むことが望ましい。
【００１５】
前記第１及び第２データ客体の併合が可能であるということを表示する段階は、前記第１データ客体のエッジのうち、前記第２データ客体に接近する方向のエッジに前記第１データ客体との併合が可能であるということを表示する第２マークを表示する段階をさらに含むことが望ましい。
本発明の他の特徴は、画面にディスプレイされた、オープンされた情報を含む第１及び第２データ客体を併合する装置において、前記第１及び第２データ客体の併合を指示するユーザ命令を入力されるユーザインターフェース部と、前記ユーザインターフェース部から受信されたユーザ命令によって、前記第２データ客体の特性が併合後も維持されるように、前記第１及び第２データ客体の内容を併合し、前記併合された結果を前記画面にディスプレイすべく制御する制御部とを備え、前記第１データ客体と前記第２データ客体は、夫々テキストを含むデータであり、前記ユーザインターフェース部は、ユーザが入力装置で第１データ客体をドラッグして第２データ客体の併合可能距離以内に移動させれば、前記第１及び第２データ客体に併合可能領域を示すマークを表示し、前記ユーザが前記第１データ客体を移動させて前記マークが表示された併合可能領域を互いに接触させる後、ドロップした場合、前記第１及び第２データ客体の併合命令と認識し、前記制御部は、前記互いに接触させた併合可能領域が連結されるように前記第２データ客体に前記第１データ客体の内容を追加することを特徴とする。
【発明の効果】
【００１６】
本発明の構成によれば、フォルダを同等レベルで併合でき、イメージデータやテキストデータをそれぞれの客体に入力していて、必要な場合に容易に情報を併合できて、便利にファイル管理を行える。また、画面でデータを見つつ、簡単に併合しうるユーザインターフェースを提供するので、ユーザが便利に利用しうる。
【発明を実施するための最良の形態】
【００１７】
以下、添付された図面を参照して本発明の望ましい実施形態を説明する。
【００１８】
図２は、本発明によるデータ客体併合装置の構成図である。図２を参照するに、本発明によるデータ客体併合装置は、マウスやタッチスクリーンなど入力装置２１０を介してユーザから入力されるユーザ命令を受信して解釈するユーザインターフェース部２３０と、ユーザインターフェース部から受信されたユーザ命令によって第１及び第２データ客体の内容を併合し、該併合された結果を表示部２２０である画面にディスプレイすべく制御する制御部２４０とで構成される。ユーザインターフェース部２３０と制御部２４０との動作については後述する。
【００１９】
図３は、本発明によるデータ客体併合方法のフローチャートである。図３を参照するに、ユーザインターフェース部２３０は、画面にディスプレイされた第１及び第２データ客体の併合を指示するユーザ命令を入力される（３０２）。併合命令の入力には、メニューで併合するデータ客体を選択する方法以外にも多様な方法が用いられる。
【００２０】
併合命令の入力についての一実施形態において、ユーザインターフェース部２３０は、ユーザが第１データ客体をドラッグして併合のターゲットである第２データ客体上に移動させた後、ドロップする場合、第２データ客体に第１データ客体を併合せよとの命令と認識する。
【００２１】
他の実施形態において、ユーザインターフェース部２３０は、ユーザが第１データ客体をドラッグして第２データ客体に併合しようとする方向のエッジに移動させた後、ドロップする場合、第２データ客体の前記エッジに第１データ客体を併合せよとの命令と認識する。
【００２２】
さらに他の実施形態としては、併合可能であることを示すマークを用いる方法がある。ユーザインターフェース部２３０は、ユーザが第１データ客体をドラッグして第２データ客体が位置する方向に移動させて、第１データ客体が第２データ客体の併合可能距離以内に移動すれば、第１及び第２データ客体の併合が可能であることを画面に表示する。第１及び第２データ客体の併合が可能であるということが画面に表示されている時、ユーザが第１データ客体をドロップした場合、第１及び第２データ客体の併合命令と認識する。オープンされた情報を含む第１及び第２データ客体の併合が可能であるということを表示するためには、第２データ客体のエッジのうち、第１データ客体が接近する方向のエッジに、第２データ客体との併合が可能であるということを示すマークを表示しうる。また、第１データ客体のエッジのうち、第２データ客体に接近する方向のエッジに第１データ客体との併合が可能であるということを表示するマークをさらに表示しうる。
【００２３】
マークを用いる他の実施形態は、次の通りである。ユーザインターフェース部２３０は、ユーザが第１データ客体をドラッグして第２データ客体が位置する方向に移動させ、第１データ客体が第２データ客体と所定距離以内になるように移動すれば、第１データ客体と第２データ客体とに併合可能領域を示すマークを表示する。例えば、第１及び第２データ客体のあらゆるエッジにマークを表示する。ユーザが第１データ客体をさらに移動させて、マークの表示された併合可能領域を互いに接触させた後、ドロップした場合、第１及び第２データ客体の併合命令と認識する。
【００２４】
マークを利用する前記実施形態で、併合しようとする第１データ客体とターゲットになる第２データ客体とに相異なる形状のマークを表示して、ユーザをして容易に区分可能にしうる。また、第１及び第２データ客体の該当エッジの少なくとも一部にガイドライン状のマークを表示することが望ましい。例えば、エッジの１／３程度の長さを有するガイドラインを併合可能領域の表示のために使用しうる。一方、第１及び第２データ客体の併合可能領域を互いに接触させる時、互いに接触させた併合可能領域を第１及び第２データ客体の他の領域と区分可能な異なるマークを表示すれば、ユーザがさらに便利に併合命令を下すことができる。
【００２５】
次の段階で、制御部２４０は、ユーザ命令によって第１及び第２データ客体の内容を同等なレベルで併合する（３０４）。第１及び第２データ客体がフォルダである場合は、ターゲットフォルダに他のフォルダの内容を移動させる。この際、併合された他のフォルダは、削除されることが望ましい。第１及び第２データ客体がオープンされた情報を含むファイルである場合は、第１及び第２データ客体が接するか、近く位置したエッジを互いに連結して第１及び第２データ客体を併合する。第１及び第２データ客体に併合可能領域が表示される場合は、表示された併合可能領域のうち、互いに接した併合可能領域同士で連結されるように第１及び第２データ客体を併合する。
【００２６】
図４Ａは、本発明によって二フォルダを併合する方法のフローチャートである。図４Ａを参照するに、ユーザインターフェース部２３０は、ユーザが入力装置２１０を通じて第１データ客体に該当するフォルダをドラッグして第２データ客体に該当するフォルダ上に移動させた後、ドロップする場合、これを第１及び第２データ客体の併合命令と認識する（４０２）。前述したように、併合命令の認識のために多様な方法が使われうる。制御部２４０は、第１データ客体に該当するフォルダに含まれたあらゆるデータ客体を第２データ客体に該当するフォルダ内に移動することによって、二フォルダを併合する（４０４）。また、制御部２４０は、第１フォルダの内容が併合された第２フォルダを表示部２２０にディスプレイすべく制御する。
【００２７】
図４Ｂは、本発明によってオープンされた情報を含む第１及び第２データ客体を併合する方法のフローチャートである。図４Ｂを参照するに、ユーザインターフェース部２３０は、ユーザが第１データ客体をドラッグして第２データ客体の併合可能距離以内に移動させた後、ドロップする場合、第１データ客体及び前記第２データ客体の併合命令と認識する（４０６）。前述したように、併合命令の認識のために多様な方法が使われうる。制御部２４０は、ユーザインターフェース部２３０から併合命令を伝達され、ユーザが所望する方向のエッジで第２データ客体に第１データ客体の内容を追加することによって、第１及び第２データ客体を併合する（４０８）。併合後、制御部２４０は、第１データ客体の内容がさらに含まれた第２データ客体を表示部２２０にディスプレイすべく制御する。
【００２８】
図５Ａは、本発明によって二フォルダを併合した結果を示す図である。図５Ａを参照するに、ファイルａ、ｂを有するフォルダＡ  ５３０にファイルｃ、ｄを有するフォルダＢ  ５４０を併合した場合、併合後にフォルダＡ  ５５０は、フォルダＢ  ５４０に属していたファイルｃ、ｄをさらに含んでいる。従来の技術とは異なって、ファイルａ、ｂ、ｃ、ｄは、いずれも同等なフォルダレベルにフォルダＡ  ５５０に属していることが分かる。
【００２９】
図５Ｂないし図５Ｄは、本発明によってオープンされた情報を含む第１及び第２データ客体を併合する過程及び結果を示す図である。
【００３０】
図５Ｂに示されたように第１データ客体５１０を選択してドラッグして併合のターゲットである第２データ客体５２０側に移動し、図５Ｃに示されたように併合可能距離以内に近づければ、図５Ｄに示されたように第２データ客体５３０は、本来有していたデータに第１データ客体が有していたデータをさらに有する併合された客体となる。図５Ｂないし図５Ｄは、本発明をメモデータに適用した例であって、図５Ｄを参照するに、ターゲットメモである第２データ客体は併合後にも併合前の特性（この例では、メモ紙の色相）をそのまま維持する。
【００３１】
図６Ａは、本発明によってオープンされた情報を含む第１及び第２データ客体を近く移動させた場合の画面例である。図６Ａを参照するに、第１データ客体６２０を第２データ客体６１０近くに移動させて所定距離以内にした場合、第１及び第２データ客体の併合可能領域を示すマーク６１１〜６１４、６２１〜６２４が表示される。図示された例では、第１及び第２データ客体のあらゆるエッジにガイドライン状に併合可能領域を意味するマークが表示されたことが分かる。
【００３２】
図６Ｂは、本発明によってオープンされた情報を含む第１及び第２データ客体を併合可能領域同士で互いに接触させるように移動させた場合の画面例である。図６Ｂを参照するに、ユーザは、第１及び第２データ客体に表示された併合可能領域のうち、併合しようとする第１及び第２データ客体の併合可能領域６１４、６２２が互いに接するように第１データ客体６２０を移動させる。第１及び第２データ客体が互いに接した状態でユーザがマウスなどをリリース（ｒｅｌｅａｓｅ）して第１データ客体をドロップすれば、制御部２４０は互いに接した併合可能領域６１４、６２２が連結されるように第１及び第２データ客体を併合する。
【００３３】
図６Ｃは、本発明によってオープンされた情報を含む第１及び第２データ客体を併合可能領域を越えるように移動させた場合の画面例である。図６Ｃを参照するに、図６Ｂでユーザが、第１及び第２データ客体が互いに接するように、第１データ客体をドロップせず、さらに移動させた場合、第１及び第２データ客体は、併合されず、単純に第１データ客体を移動させた結果になるだけである。
【００３４】
前述したような本発明による方法は、コンピュータで読取り可能な記録媒体にコンピュータで読取り可能なコードとして具現することが可能である。
【００３５】
以上、本発明についてその望ましい実施形態を中心に説明した。本発明が属する技術分野で通常の知識を有する者は、本発明が本発明の本質的な特性から外れない範囲で変形された形で具現されうることを理解できるであろう。したがって、開示された実施形態は限定的な観点でなく説明的な観点で考慮せねばならない。本発明の範囲は、前述した説明でなく特許請求の範囲に現れており、それと同等な範囲内にあるあらゆる差異点は本発明に含まれるものと解釈されねばならない。
【産業上の利用可能性】
【００３６】
本発明は、コンピュータシステムのデータ客体の併合関連の技術分野に好適に適用されうる。
【図面の簡単な説明】
【００３７】
【図１Ａ】従来の技術により二フォルダを合わせた結果を示す図である。
【図１Ｂ】従来の技術によりオープンされた情報を含む第１及び第２データ客体を併合できないということを示す図である。
【図２】本発明によるデータ客体併合装置の構成図である。
【図３】本発明によるデータ客体併合方法のフローチャートである。
【図４Ａ】本発明によって二フォルダを併合する方法のフローチャートである。
【図４Ｂ】本発明によってオープンされた情報を含む第１及び第２データ客体を併合する方法のフローチャートである。
【図５Ａ】本発明によって二フォルダを併合した結果を示す図である。
【図５Ｂ】本発明によってオープンされた情報を含む第１及び第２データ客体を併合する過程及び結果を示す図である。
【図５Ｃ】本発明によってオープンされた情報を含む第１及び第２データ客体を併合する過程及び結果を示す図である。
【図５Ｄ】本発明によってオープンされた情報を含む第１及び第２データ客体を併合する過程及び結果を示す図である。
【図６Ａ】本発明によってオープンされた情報を含む第１及び第２データ客体を近く移動させた場合の画面例を示す図である。
【図６Ｂ】本発明によってオープンされた情報を含む第１及び第２データ客体を併合可能領域同士で互いに接触させるように移動させた場合の画面例を示す図である。
【図６Ｃ】本発明によってオープンされた情報を含む第１及び第２データ客体を併合可能領域を越えるように移動させた場合の画面例を示す図である。
【図１Ａ】
0005204411.tif 000002
【図１Ｂ】
0005204411.tif 000003
【図２】
0005204411.tif 000004
【図３】
0005204411.tif 000005
【図４Ａ】
0005204411.tif 000006
【図４Ｂ】
0005204411.tif 000007
【図５Ａ】
0005204411.tif 000008
【図５Ｂ】
0005204411.tif 000009
【図５Ｃ】
0005204411.tif 000010
【図５Ｄ】
0005204411.tif 000011
【図６Ａ】
0005204411.tif 000012
【図６Ｂ】
0005204411.tif 000013
【図６Ｃ】
0005204411.tif 000014